(57)【要約】【課題】配水管継手１０に設けられたゴム状弾性材料からなるパッキン１２の劣化を極力抑えてその使用寿命を向上させる。【解決手段】配水管２０と、この配水管２０を接続する継手本体１１との間を密封するゴム状弾性材料からなるパッキン１２が、継手本体１１の内周面に形成されたパッキン保持溝１１ａに保持され、パッキン１２よりも配水管２０の端部２０ａ側の外周に位置する継手本体１１の内周面に、多数の凹凸１１ｃが形成されたものである。配水管２０内を流れる水Ｗの一部が、配水管２０の端部から継手本体１１と配水管２０との間の円筒状隙間Ｇ２へ侵入しても、このような侵入水の流れＦは凹凸１１ｃによって減衰され、パッキン１２に対する動的接触が抑制される。【選択図】図１
2010151289.tif 000002
【特許請求の範囲】
【請求項１】
配水管と、この配水管を接続する継手本体との間を密封するゴム状弾性材料からなるパッキンが、前記継手本体の内周面に形成されたパッキン保持溝に保持され、前記パッキンよりも前記配水管の端部側の外周に位置する前記継手本体の内周面に、多数の凹凸が形成されたことを特徴とする配水管継手の密封構造。
【発明の詳細な説明】
【技術分野】
【０００１】
本発明は、配水管継手において、配水管と、この配水管を接続する継手本体との間で漏水を防止するための密封構造に関するものである。
【背景技術】
【０００２】
水道水の配水管を接続する継手には、配水管を継手本体に挿し込むことによって、継手本体の内周に取り付けたパッキンが配水管の外周面に密接嵌合し、これによって漏水が防止されると共に抜け止めされるようにしたワンタッチ式の継手（例えば特許文献１参照）が知られている。
【特許文献１】特開２００５−１３３７４８号公報
【０００３】
図２は、この種の配水管継手における従来の密封構造を示す断面図で、参照符号１００は配水管継手、参照符号２００，２００はこの配水管継手１００によって互いに接続される一対の配水管である。配水管継手１００は、内周に配水管２００が挿し込まれる筒状の継手本体１０１と、配水管２００の外周面に食い込むことによってこの配水管２００を継手本体１０１に対して抜け止めする不図示の配水管ホルダと、継手本体１０１の内周面に形成されたパッキン保持溝１０１ａ内に装着されて、その溝内面及び配水管２００の外周面に密接嵌合されることにより漏水を防止するパッキン１０２とを備える。なお、参照符号１０１ｂは、継手本体１０１に対する配水管２００の挿入長さを制限するために継手本体１０１の内周面に形成された突起部である。
【０００４】
ここで、配水管２００内を流れる密封対象の水道水Ｗは、殺菌のための塩素を含んでいるため、パッキン１０２の材質としては、耐水性のあるＥＰＤＭ（エチレンプロピレンゴム）や、耐塩素性及び耐熱水性のあるＦＫＭ（フッ素ゴム）が用いられている。特にＦＫＭは、圧縮状態で塩素水に浸漬した評価試験において高い耐性を示すので、好適に使用されている。
【０００５】
しかしながら、配水管２００内を水道水が流れる実際の使用では、水道水への静的な浸漬試験での評価結果に比較して早期に材質が劣化してしまうことがあり、問題となっていた。これは、配水管２００内を流れる水道水Ｗの一部が、配水管２００の端部から継手本体１０１と配水管２００との間の隙間へ侵入して、図中矢印Ｆで示されるような渦流を形成しながらパッキン１０２に動的に接触し、水道水Ｗに含まれる塩素の攻撃性によって、パッキン１０２の接液面からゴム材質中の組成物が水中へ浸出し、これによってパッキン１０２の劣化が促進されるからであることが判明した。
【発明の開示】
【発明が解決しようとする課題】
【０００６】
本発明は、以上のような点に鑑みてなされたものであって、その技術的課題とするところは、配水管継手に設けられたゴム状弾性材料からなるパッキンの劣化を極力抑えてその使用寿命を向上させることにある。
【課題を解決するための手段】
【０００７】
上述した技術的課題を有効に解決するための手段として、本発明に係る配水管継手の密封構造は、配水管と、この配水管を接続する継手本体との間を密封するゴム状弾性材料からなるパッキンが、前記継手本体の内周面に形成されたパッキン保持溝に保持され、前記パッキンよりも前記配水管の端部側の外周に位置する前記継手本体の内周面に、多数の凹凸が形成されたものである。
【０００８】
このように構成すれば、配水管内を流れる水の一部が、配水管の端部開口から継手本体と配水管との間の隙間へ侵入した水の流れが、パッキンに到達するまでの間に継手本体の内周面に形成された多数の凹凸によって乱流を生じるので減衰され、多数の凹凸によって水との接触面積が大きくなることも、流動エネルギの減衰に寄与するので、パッキンに対する侵入水の動的接触が抑えられる。
【発明の効果】
【０００９】
本発明に係る配水管継手の密封構造によれば、配水管継手に設けられたゴム状弾性材料からなるパッキンに対して、密封対象の水の動的接触が抑えられるので、水中の塩素などの物質によるパッキンの浸食が抑制され、その使用寿命を向上させることができる。
【発明を実施するための最良の形態】
【００１０】
以下、本発明に係る配水管継手の密封構造の好ましい実施の形態について、図面を参照しながら詳細に説明する。まず図１は、本発明に係る配水管継手の密封構造の好ましい実施の形態を示す要部断面図で、この図１において、参照符号１０は配水管継手、参照符号２０，２０はこの配水管継手１０によって互いに接続される一対の配水管である。
【００１１】
配水管継手１０は、筒状の継手本体１１と、この継手本体１１の内周に挿し込まれた配水管２０の外周面に食い込むことによってこの配水管２０を継手本体１１に対して抜け止めする不図示の配水管ホルダと、継手本体１１の内周面に形成されたパッキン保持溝１１ａに保持されて、その溝内面及び配水管２０の外周面に密接嵌合されることにより漏水を防止するパッキン１２とを備える。なお、参照符号１１ｂは、継手本体１１に対する配水管２０の挿入長さを制限するために継手本体１１の長手方向中間位置の内周面に形成された突起部である。
【００１２】
パッキン１２は、耐水性のあるゴム状弾性材料（ゴム材料又はゴム状弾性を有する合成樹脂材料）、なかでも耐塩素性及び耐熱水性のあるＦＫＭ（フッ素ゴム）からなるものであって、図示の例では断面が円形をなすいわゆるＯリングが使用され、継手本体１１のパッキン保持溝１１ａの底面と、配水管２０の外周面との間に、適当に圧縮された状態で介在している。
【００１３】
パッキン１２による密封部よりも配水管２０の端部２０ａ側（密封対象の水が流入する側）の外周に位置する継手本体１１の内周面、言い換えればパッキン保持溝１１ａよりも突起部１１ｂ側の内周面には、多数の凹凸１１ｃが形成されている。この凹凸１１ｃは、円周方向へ延びる凸部と溝が軸方向交互に形成されたものでも良いし、らせん状に延びるものであっても良いし、軸方向及び円周方向に対して適当な密度で形成されたものでも良い。
【００１４】
なお、図１には主に突起部１１ｂの左側（上流側）の構造が示されているが、突起部１１ｂの右側（下流側）の密封構造も、左側と同様（対称）となっており、すなわち突起部１１ｂとその右側に存在する不図示のパッキン保持溝との間の内周面にも多数の凹凸１１ｃが形成されている。
【００１５】
上記構成において、配水管２０内を水道水Ｗが図中左側から右側へ流れるものと仮定すると、この水道水Ｗの一部は、継手本体１１の突起部１１ｂとこれに対向する配水管２０の端部２０ａとの間の隙間Ｇ１から継手本体１１の内周面と配水管２０の外周面との間の円筒状隙間Ｇ２へ侵入する。
【００１６】
しかしながら、継手本体１１と配水管２０との間の円筒状隙間Ｇ２へ侵入した水の流れは、継手本体１１の内周面に形成された多数の凹凸１１ｃによって乱され、しかもこの凹凸１１ｃによって水との接触面積が大きくなるため、流動抵抗が大きくなって流動エネルギが有効に減衰され、パッキン保持溝１１ａ付近の空間Ｓに到達するまでに流れＦが著しく低減され、パッキン１２に対する動的接触が抑制される。したがって、パッキン１２のゴム組成物が、水道水Ｗ中の塩素の攻撃性によって浸食されにくくなり、パッキン１２の劣化が促進されるのを有効に防止することができる。
【００１７】
なお、上述の作用は突起部１１ｂの右側（下流側）でも同様に行われる。
【００１８】
ところで、流れＦをパッキン１２に対して確実に遮断するには、継手本体１１の内周面に形成された凹凸１１ｃの内径（凸部の内径）を配水管２０の外径に近付けることによって、配水管２０との間の円筒状隙間Ｇ２を径方向に対してある程度小さくすることが望ましいが、前記円筒状隙間Ｇ２はそれほど小さくしなくても、多数の凹凸１１ｃによって流れＦを十分に低減することができる。したがって、継手本体１１の内周へ配水管２０，２０を挿し込むことによって互いに接続する際に、配水管２０の端部２０ａが凹凸１１ｃに引っ掛かったりすることにより接続作業が困難になるようなことはなく、良好な作業性が確保される。
【図面の簡単な説明】
【００１９】
【図１】本発明に係る配水管継手の密封構造の好ましい実施の形態を示す要部断面図である。
【図２】配水管継手における従来の密封構造を示す部分断面図である。
【符号の説明】
【００２０】
１０  配水管継手
１１  継手本体
１１ａ  パッキン保持溝
１１ｃ  多数の凹凸
１２  パッキン
２０  配水管
２０ａ  端部
Ｇ１  隙間
Ｇ２  円筒状隙間
【図１】
2010151289.tif 000003
【図２】
2010151289.tif 000004